(57)【要約】      （修正有）【課題】取付対象への取り付けが比較的容易であり、また、見栄えを毀損しない、光反射特性を有する新たなリボンを提供する。【解決手段】リボン１０は、表面及び裏面を有する再帰性反射フィルム１２と、再帰性反射フィルムの表面１２ａ上に引き剥がし可能の状態で重ね合わされたカバーフィルム１４、又は再帰性反射フィルム１２の表面上に接着された状態で重ね合わされた透明なカバーフィルム１４と、再帰性反射フィルムの裏面１２ｂ上に接着された状態で重ね合わされたホットメルトフィルム１６又は両面テープとを備える。【選択図】図２
0003231676.tif 000002
【実用新案登録請求の範囲】
【請求項１】
表面及び裏面を有する再帰性反射フィルムと、
前記再帰性反射フィルムの表面上に引き剥がし可能の状態で重ね合わされたカバーフィルムと、
前記再帰性反射フィルムの裏面上に接着された状態で重ね合わされたホットメルトフィルム又は両面テープとを備える、リボン。
【請求項２】
表面及び裏面を有する再帰性反射フィルムと、
前記再帰性反射フィルムの表面上に接着された状態で重ね合わされた透明なカバーフィルムと、
前記再帰性反射フィルムの裏面上に接着された状態で重ね合わされたホットメルトフィルム又は両面テープとを備える、リボン。
【請求項３】
前記カバーフィルムと、前記再帰性反射フィルムと、前記ホットメルトフィルム又は両面テープとを貫通する多数の貫通孔を有し、前記多数の貫通孔は前記再帰性反射フィルムの表面上及び前記カバーフィルムの表面上に模様を表出する、請求項１又は２に記載のリボン。
【請求項４】
前記再帰性反射フィルムは、ガラスビーズ型の反射材を有する、請求項１〜３のいずれか１項に記載のリボン。
【請求項５】
前記カバーフィルムはポリエステル樹脂からなる、請求項１〜４のいずれか１項に記載のリボン。
【考案の詳細な説明】
【技術分野】
【０００１】
本考案はリボンに関する。
【背景技術】
【０００２】
従来、交通安全上の観点から、視界が低下する特に夜間における人に対する視認性の向上に資するテープとして、光反射機能を有するものが提案されている。このテープは、テープ地と、該テープ地に接着された再帰性反射層とからなる。このテープによれば、再帰性反射層の優れた光反射特性により、前記テープが付された衣服、帽子等（取付対象）を身に着けた者の存在の確認が比較的容易である。
【０００３】
このテープにあっては、その再帰反射層の表面に模様が設けられており、装飾性を有するリボンとしての機能を有するところ、取付対象への取り付けは縫い付けによるとされている。しかし、縫い付けによる取り付けは比較的面倒であり、また、縫い付け糸が、表面にある模様の見栄えを損なう等の問題がある。
【先行技術文献】
【特許文献】
【０００４】
【特許文献１】実用新案登録第３０９３６３８号公報
【考案の概要】
【考案が解決しようとする課題】
【０００５】
本考案は、取付対象への取り付けが比較的容易であり、また、見栄えを毀損しない、光反射特性を有するリボンを提供する。
【課題を解決するための手段】
【０００６】
本考案に係るリボンは、その一の実施の形態として、表面及び裏面を有する再帰性反射フィルムと、前記再帰性反射フィルムの表面上に引き剥がし可能の状態で重ね合わされたカバーフィルムと、前記再帰性反射フィルムの裏面上に接着された状態で重ね合わされたホットメルトフィルム又は両面テープとを備える。
【０００７】
本考案に係るリボンは、該リボンから所要長さを切り取ってなるリボン片の形態で使用に供される。前記リボン片は、前記ホットメルトフィルムを有するものにおいては、衣服のような取付対象の表面上の任意の箇所に前記カバーフィルムを上に、また、前記ホットメルトフィルムを下にして置き、前記カバーフィルム上に例えばアイロンを使って熱圧を加えることにより前記取付対象に取り付けることができる。前記リボン片は前記熱圧を加えられ熱溶融した前記ホットメルトフィルムの粘着力により前記取付対象の表面上に接着される。また、前記両面テープを有するリボン片にあっては、前記取付対象の表面上の任意の箇所に前記カバーフィルムを上に、また、前記両面テープを下にして置き、前記カバーフィルム上に押圧力を加えることにより前記取付対象に取り付けることができる。前記リボン片は前記両面テープが有する粘着力により前記取付対象の表面上に接着される。接着後、前記再帰性反射フィルムから前記カバーフィルムを引き剥がすことにより、前記再帰性反射フィルムの表面を露出させることができる。露出された前記再帰性反射フィルムは光反射特性を発揮する。
【０００８】
本考案は、前記カバーフィルムについて、前記カバーフィルムが前記再帰性反射フィルムの表面上に引き剥がし可能の付着状態で重ね合わされたものすることに代えて、前記カバーフィルムが透明なものからなりかつ前記再帰性反射フィルムの表面上に接着された状態で重ね合わされたものとする他の実施の形態を有する。これによれば、前記リボン片は前記カバーフィルムを除去しない態様での使用が可能であり、光は前記カバーフィルムを通して前記再帰性反射フィルムの表面に入射し、前記再帰性反射フィルムは前記カバーフィルムを通して光反射特性を発揮する。また、前記カバーフィルムは常に前記再帰性反射フィルムの表面を保護する働きをなす。
【０００９】
本考案によれば、前記リボン片は前記ホットメルトフィルム又は両面テープを介して比較的容易に前記取付対象に取り付けることができる。また、前記リボン片を前記取付対象に取り付けるための前記ホットメルトフィルム及び前記両面テープはそれぞれ前記再帰性反射フィルムの裏側にあって表には現れず、前記取付対象に取り付けられた前記リボン片の見栄えを毀損しない。
【００１０】
前記リボンは、前記カバーフィルムと、前記再帰性反射フィルムと、前記ホットメルトフィルム又は両面テープとを貫通する多数の貫通孔を有するものとすることができる。ここにおいて、前記多数の貫通孔は前記カバーフィルムの表面上及び前記再帰性反射フィルムの表面上に模様を表出する。
【００１１】
さらに、前記リボンは、前記ホットメルトフィルムに重ね合わされた剥離紙又は前記両面テープに重ね合わされた剥離紙を備えるものとすることができる。前記剥離紙は、取付対象への前記リボン片の取り付けまでの間、前記ホットメルトフィルム及び両面テープをそれぞれ保護し、前記リボン片の取り付け時に前記ホットメルトフィルムから引き剥がされ、また、前記両面テープから引き剥がされる。
【００１２】
前記再帰性反射フィルムは、その一例として、ガラスビーズ型の反射材を有するものからなる。また、前記カバーフィルムは、その一例として、ポリエステル樹脂からなる。
【図面の簡単な説明】
【００１３】
【図１】リボンの一例を示す平面図である。
【図２】図１の線２−２に沿って得た断面図である。
【考案を実施するための形態】
【００１４】
図１及び図２を参照すると、本考案の一の実施形態に係るリボンが全体に符号１０で示されている。リボン１０は、該リボンから所要長さを切り取ってなるリボン片の形態で使用に供される。前記リボン片は、衣服や、帽子、児童が背負うランドセル、カバン、表示板、アウトドア用品、自転車等からなる種々の取付対象に取り付けることができる。
【００１５】
リボン１０は、表面１２ａ及び裏面１２ｂ（図２参照）を有する再帰性反射フィルム１２と、該再帰性反射フィルムの表面１２ａ上に重ね合わされたカバーフィルム１４と、再帰性反射フィルム１２の裏面１２ｂに重ね合わされたホットメルトフィルム１６とを備える。
【００１６】
再帰性反射フィルム１２は、これに当たった光、より詳細には表面１２ａに入射した光をその光源に向けて反射する性質を有する。再帰性反射フィルム１２にはガラスビーズ型の反射材を有するものと、プリズム型の反射材を有するものとがあり、いずれも市販されている。
【００１７】
カバーフィルム１４は再帰性反射フィルム１２の表面１２ａ上に引き剥がし可能の付着状態で重ね合わされている。カバーフィルム１４は、任意の合成樹脂材料からなる。図示のカバーフィルム１４は透明性を有するポリエステル樹脂からなる。前記リボン片は、カバーフィルム１４を引き剥がして再帰性反射フィルム１２の表面１２ａを露出させた状態で使用に供することができる。カバーフィルム１４はリボン１０がその使用に供されるまでの間、再帰性反射フィルム１２の表面１２ａを保護する働きをなす。
【００１８】
カバーフィルム１４については、これが再帰性反射フィルム１２の表面１２ａ上に引き剥がし可能の付着状態で重ね合わされたものとすることに代えて、カバーフィルム１４が例えば前記ポリエステル樹脂製の透明なものからなりかつ該カバーフィルムが再帰性反射フィルム１２の表面１２ａ上に接着された状態で重ね合わされたものとすることができる（他の実施の形態）。これによれば、前記リボン片はカバーフィルム１４を除去しない態様での使用が可能であり、光は透明なカバーフィルム１４を通して再帰性反射フィルム１２の表面１２ａに入射し、再帰性反射フィルム１２は透明なカバーフィルム１４を通して光反射特性を発揮する。また、カバーフィルム１４は常に再帰性反射フィルム１２の表面１２ａを保護する働きをなす。
【００１９】
また、ホットメルトフィルム１６は、再帰性反射フィルム１２の裏面１２ｂ上に接着された状態で重ね合わされている。ホットメルトフィルム１６は例えばウレタン系合成樹脂からなり、加熱及び加圧下（熱圧下）において熱溶融し、取付対象に対する前記リボン片の粘着剤としての働きをなす。
【００２０】
リボン１０は、好ましくは、さらにホットメルトフィルム１６に剥離可能の付着状態で重ね合わされた剥離紙１８（図２）を有する。剥離紙１８は、リボン１０が使用に供されるまでの間、ホットメルトフィルム１６を保護する働きをなす。
【００２１】
リボン１０は、ホットメルトフィルム１６に代えて、両面テープ（図示せず）からなるものとすることができる。前記両面テープは、不織布等を基材とするもののほか、フィルム（例えばOPP（延伸ポリプロピレン）フィルム）を基材とするいわゆるフィルム両面テープと称されるものを含む。前記両面テープは再帰性反射フィルム１２の裏面１２ｂに接着された状態で重ね合わされる。前記両面テープを有するリボン１０においても、前記両面テープに剥離可能の付着状態で重ね合わされた剥離紙１８を有するものとすることができる。
【００２２】
図１及び図２に示すように、リボン１０は、その互いに重ね合わされたカバーフィルム１４、再帰性反射フィルム１２及びホットメルトフィルム１６（又はホットメルトフィルム１６に代えた前記両面テープ）は、これらを貫通する多数の貫通孔２０を有するものとすることができる。
【００２３】
多数の貫通孔２０は、これらの数、断面の形状及び断面の大きさを任意に設定することができる。多数の貫通孔２０はカバーフィルム１４上及び再帰性反射フィルム１２の表面１２ａ上に、また、カバーフィルム１４を引き剥がして使用する場合においては再帰性反射フィルム１２の表面１２ａ上に模様を表出する。図示の多数の貫通孔２０はリボン１０の両側縁部１０ａに設けられている。多数の貫通孔２０は、図示の例に代えて又はこれに加えて、両側縁部１０ａ間の中央部に設けることができる。また、図示の各側縁部１０ａは全体に波形を呈する縁１０ａ１を有し、縁１０ａ１は連続した凹凸状の複数の湾曲部を含む。前記波形の縁１０ａ１は前記模様の一部としての働きをなす。縁１０ａ１は、前記波形に代えて直線、ジグザグ等の他の形状を有するものとすることができる。貫通孔２０及び縁１０ａ１は、例えばレーザー加工により形成することができる。
【００２４】
リボン１０から切り取られた前記リボン片は、その取付対象である例えば衣服の表面上の任意の箇所に、カバーフィルム１４を上に、またホットメルトフィルム１６を下にして置き、カバーフィルム１４上に例えばアイロンを使って熱圧を加えることにより取り付けることができる。前記リボン片は前記熱圧を受けたホットメルトフィルム１６の熱溶融に伴って生じる粘着力により前記衣服の表面上に接着される。また、前記両面テープを有するリボンにあっては、前記リボン片を前記取付対象の表面上の任意の箇所に、カバーフィルム１４を上に、また前記両面テープを下にして置き、カバーフィルム１４上に押圧力を加えることにより取り付けることができる。前記リボン片は前記両面テープが有する粘着力により前記取付対象の表面上に接着される。接着後、再帰性反射フィルム１２からカバーフィルム１４を引き剥がしてこれを除去することにより、再帰性反射フィルム１２の表面１２ａを露出させることができる。但し、透明なポリエステル樹脂製のカバーフィルム１４を有するリボン１０については、カバーフィルム１４を引き剥がすことなく存置した状態で使用に供される。
【００２５】
前記リボン片はホットメルトフィルム１６又は前記両面テープを介して比較的容易に前記取付対象に取り付けることができる。また、前記リボン片を前記取付対象に取り付けるための接着機能を有するホットメルトフィルム１６及び前記両面テープはそれぞれ再帰性反射フィルム１２の裏側にあって表には現れず、前記取付対象に取り付けられた前記リボン片の見栄え、より詳細には再帰性反射フィルム１２の表面１２ａ及びカバーフィルム１４の表面の見栄えが毀損されない状態に維持される。
【符号の説明】
【００２６】
１０  リボン
１２  再帰性反射フィルム
１４  カバーフィルム
１６  ホットメルトフィルム
１８  剥離紙
２０  貫通孔
【図１】
0003231676.tif 000003
【図２】
0003231676.tif 000004